(57)【要約】【課題】状況に応じた適切なコンテンツを出力する。【解決手段】ルータ／アクセスポイント(AP)に接続しているスマートフォン20等の外部端末の接続情報を集計サーバ(SV)から取得する無線ＬＡＮインタフェース48及び無線ＬＡＮアンテナ49と、取得した接続情報に応じた属性のコンテンツを決定するＣＰＵ42とを備える。【選択図】図３
2017058903.tif 000002
【特許請求の範囲】
【請求項１】
アクセスポイントに接続している外部端末の接続情報を取得する取得手段と、
上記取得手段で取得した接続情報に応じてコンテンツを決定する決定手段と、
を備えることを特徴とする情報処理装置。
【請求項２】
上記決定手段は、上記取得手段で取得した接続情報に応じた属性のコンテンツを決定することを特徴とする請求項１記載の情報処理装置。
【請求項３】
上記属性は言語、国名、及び地域名の少なくとも１つであることを特徴とする請求項２記載の情報処理装置。
【請求項４】
上記決定手段で決定したコンテンツを出力するコンテンツ出力手段をさらに備えることを特徴とする請求項１乃至３いずれか記載の情報処理装置。
【請求項５】
上記コンテンツ出力手段で出力しているコンテンツの属性と、上記決定手段で決定したコンテンツの属性との一致を判断する判断手段と、
上記判断手段での判断結果に基づいて上記コンテンツ出力手段で出力するコンテンツの属性を切換える制御手段と、
をさらに備えることを特徴とする請求項４記載の情報処理装置。
【請求項６】
上記取得手段で取得した接続情報を蓄積して記憶する記憶手段をさらに備え、
上記決定手段は、上記記憶手段で記憶する接続情報を集計してコンテンツを決定する
ことを特徴とする請求項１乃至５いずれか記載の情報処理装置。
【請求項７】
上記決定手段は、上記取得手段で接続情報を取得して即時対応するコンテンツを決定することを特徴とする請求項１乃至５いずれか記載の情報処理装置。
【請求項８】
アクセスポイントに接続している外部端末の接続情報を取得する取得工程と、
上記取得工程で取得した接続情報に応じてコンテンツを決定する決定工程と、
を有することを特徴とする情報処理方法。
【請求項９】
コンピュータが実行するプログラムであって、該コンピュータを、
アクセスポイントに接続している外部端末の接続情報を取得する取得手段、及び
上記取得手段で取得した接続情報に応じてコンテンツを決定する決定手段、
として機能させることを特徴とするプログラム。
【発明の詳細な説明】
【技術分野】
【０００１】
本発明は、情報処理装置、情報処理方法及びプログラムに関する。
【背景技術】
【０００２】
閲覧者に対し、印象を高めることができる映像出力装置を提供するべく、例えば人型の形状をしたスクリーンに向けて映像コンテンツを出力するようにした技術があった。（例えば、特許文献１）
【先行技術文献】
【特許文献】
【０００３】
【特許文献１】特開２０１１−１５０２２１号公報
【発明の概要】
【発明が解決しようとする課題】
【０００４】
上記特許文献に記載された技術は、映像を投影するスクリーンの形状を矩形ではなく人型等にし、対応する形状の映像を投影することで閲覧者に対する印象を高めるようにしている。
【０００５】
このように一方的に映像を出力するのみであり、例えば映像中に合わせて投影する文字等の処理などは考えられていない。
【０００６】
本発明は上記のような実情に鑑みてなされたもので、その目的とするところは、状況に応じた適切なコンテンツを出力することが可能な情報処理装置、情報処理方法及びプログラムを提供することにある。
【課題を解決するための手段】
【０００７】
本発明の一態様は、アクセスポイントに接続している外部端末の接続情報を取得する取得手段と、上記取得手段で取得した接続情報に応じてコンテンツを決定する決定手段と、を備えることを特徴とする。
【発明の効果】
【０００８】
本発明によれば、状況に応じた適切なコンテンツを出力することが可能となる。
【図面の簡単な説明】
【０００９】
【図１】本発明の一実施形態に係るサイネージシステム全体の接続構成を示すブロック図。
【図２】同実施形態に係るサイネージ装置単体の外観構成を示す斜視図。
【図３】同実施形態に係るサイネージ装置の主として電子回路の機能構成を示すブロック図。
【図４】同実施形態に係る第１の動作例で集計サーバが実行する処理内容を示すフローチャート。
【図５】同実施形態に係る第１の動作例で集計サーバのデータベースに蓄積記録される通信端末言語情報のテーブルの内容を例示した図。
【図６】同実施形態に係る第１の動作例でサイネージ装置が実行する処理内容を示すフローチャート。
【図７】同実施形態に係る第２の動作例で集計サーバとサイネージ装置が実行する処理内容を示すフローチャート。
【発明を実施するための形態】
【００１０】
以下、本発明をサイネージ端末を店舗で使用するサイネージシステムに適用した場合の一実施形態について、図面を参照して説明する。
【００１１】
［構成］  
図１は、同システム全体の接続構成を示すブロック図である。店舗にサイネージ装置１０が設置される。このサイネージ装置１０が、広告等のコンテンツの再生出力端末として機能するもので、公衆無線ＬＡＮのルータ／アクセスポイントＡＰ、インターネット網を含むネットワークＮＷを介して、外部の集計サーバＳＶと接続される。
【００１２】
同様に店舗に来店する顧客が所持する携帯情報端末、例えばスマートフォン２０も、公衆無線ＬＡＮのルータ／アクセスポイントＡＰを介してインターネット網を含むネットワークＮＷと接続可能となるもので、スマートフォン２０に搭載されたブラウザ機能により、インターネット網上の任意のウェブサイトにアクセス可能となる。
【００１３】
集計サーバＳＶは、ネットワークＮＷを介してルータ／アクセスポイントＡＰに無線接続されるスマートフォン２０やその他パーソナルコンピュータ（不図示）等の情報端末から、ブラウザ機能使用時の国名、地域名、言語の情報を取得し、データベース（ＤＢ）に集計すると共に、その集計結果に基づいた情報を、上記ネットワークＮＷ、ルータ／アクセスポイントＡＰを介して、店舗内に設置されている上記サイネージ装置１０に送信する。
【００１４】
したがって、集計サーバＳＶは、スマートフォン２０の所持者の国名、地域名、言語の情報を集計して、その集計結果をルータ／アクセスポイントＡＰを共用するサイネージ装置１０に対して送信できる。
【００１５】
図２は、上記サイネージ装置１０の外観構成を示す斜視図である。このサイネージ装置１０はプロジェクタ技術を用いた電子マネキンであり、装置筐体１０Ａの上面前端側に、交換可能なサイネージボードＳＢが立設される。このサイネージボードＳＢは、サイネージ１０の本来は矩形の投影可能領域内に収まるように設置された、任意形状を有する半透過板状の構成を有する。
【００１６】
サイネージボードＳＢは、装置筐体１０Ａの上面に設けられた、図示しないリアプロジェクション方式の投影レンズから出射された光像が背面側から投影されることで、例えば図示するような画像を表示する。
【００１７】
このサイネージボードＳＢの下部側には複数、ここでは４個の操作ボタンＢ１〜Ｂ４を合わせて投影しており、当該ボタン中のいずれかを閲覧者がタッチ操作した場合、ボード取付け基部に配列された、それぞれが指向性を有するライン状の赤外線センサアレイ（図示せず）により当該操作位置が検知可能となっている。
【００１８】
本実施形態では、４個の操作ボタンＢ１〜Ｂ４が４つの言語、例えば日本語、英語、中国語、及び朝鮮語をその言語の文字で示しており、その順序に従ってサイネージボードＳＢの「吹出し」部分でも言語を選択するための操作を促すメッセージを、該当する各言語で投影している状態を例示する。
【００１９】
さらに装置筐体１０Ａの前面には、このサイネージ装置１０の前面側の環境を撮影するための撮像部ＩＭを備える。
【００２０】
次に図３により上記サイネージ１０の主として電子回路の機能構成を説明する。コンテンツメモリ３１には、例えば同一商品に関して複数の言語バージョンに対応した複数のコンテンツデータが記憶される。これらコンテンツデータはいずれも、画像データと音データ、及び制御データ等から構成される。コンテンツデータ中の画像データは、後述するＣＰＵ４２により読出され、システムバスＢＳを介して投影画像駆動部３２に送られる。
【００２１】
上記投影画像駆動部３２は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子３３を表示駆動する。
【００２２】
このマイクロミラー素子３３は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２３】
一方で、光源部３４から時分割でＲ，Ｇ，Ｂの原色光が循環的に出射される。光源部３４は、半導体発光素子であるＬＥＤを有し、Ｒ，Ｇ，Ｂの原色光を時分割で繰返し出射する。光源部３４が有するＬＥＤは、広義でのＬＥＤとして、ＬＤ（半導体レーザ）や有機ＥＬ素子を含むものとしても良い。この光源部３４からの原色光が、ミラー３５で反射して上記マイクロミラー素子３３に照射される。
【００２４】
そして、マイクロミラー素子３３での反射光で光像が形成され、形成された光像が投影レンズ部３６を介して上記サイネージボードＳＢに背面側から投射される。
【００２５】
上記撮像部ＩＭは、サイネージ装置１０の正面方向を向いた広角系の撮影レンズ部３７、及びこの撮影レンズ部３７の焦点位置に配設された固体撮像素子であるＣＭＯＳイメージセンサ３８を含む。
【００２６】
ＣＭＯＳイメージセンサ３８で得られる画像信号は、Ａ／Ｄ変換器３９でデジタル化された後、撮影画像処理部４０に送られる。この撮影画像処理部４０は、上記ＣＭＯＳイメージセンサ３８を走査駆動して撮影動作を実行させ、撮影により得た画像データをデータファイル化して、後述するＣＰＵ４２に送出する。
【００２７】
上記各回路の動作すべてをＣＰＵ４２が制御する。このＣＰＵ４２は、メインメモリ４３及びプログラムメモリ４４と直接接続される。メインメモリ４３は、例えばＳＲＡＭで構成され、ＣＰＵ４２のワークメモリとして機能する。プログラムメモリ４４は、電気的書換可能な不揮発性メモリ、例えばフラッシュＲＯＭで構成され、ＣＰＵ４２が実行する動作プログラムや各種定型データ等を記憶する。
【００２８】
ＣＰＵ４２は、上記プログラムメモリ４４に記憶されている動作プログラムや定型データ等を読出し、メインメモリ４３に展開して記憶させた上で当該プログラムを実行することにより、このサイネージ装置１０を統括して制御する。
【００２９】
上記ＣＰＵ４２は、操作部４５からの操作信号に応じて各種投影動作を実行する。この操作部４５は、サイネージ装置１０の本体に備える、電源キーを含むいくつかの操作キーのキー操作信号、または上記サイネージボードＳＢの一部に仮想的に投影するボタンへの操作を検出する、上述した赤外線センサアレイからの検出信号を受付け、受付けた操作に応じた信号を上記ＣＰＵ４２へ送出する。
【００３０】
上記ＣＰＵ４２はさらに、上記システムバスＢＳを介して音処理部４６、無線ＬＡＮインタフェース（Ｉ／Ｆ）４８と接続される。  
音処理部４６は、ＰＣＭ音源等の音源回路を備え、投影動作時に上記コンテンツメモリ３１から読出されるコンテンツデータ中の音データをアナログ化し、スピーカ部４７を駆動して放音させ、あるいは必要によりビープ音等を発生させる。
【００３１】
無線ＬＡＮインタフェース４８は、無線ＬＡＮアンテナ４９を介して上記ルータ／アクセスポイントＡＰ等と接続し、データの送受を行なうもので、上記図１のネットワークＮＷを介して集計サーバＳＶと交信する。
【００３２】
なお、上記図１における集計サーバＳＶを構成するサーバコンピュータ、上記スマートフォン２０並びに図示しないパーソナルコンピュータ等の情報端末それぞれのハードウェア回路の構成に関しては、いずれも周知の一般的なものと同様であるものとして、その図示及び説明を省略する。
【００３３】
［第１の動作例］  
次に上記実施形態の第１の動作例について説明する。  
なお本動作例では、サイネージ装置１０のデフォルトの設定として、例えば「英語」「中国語」「日本語」「タイ語」の順序で繰返しコンテンツが再生出力されているものとする。
【００３４】
図４は、上記集計サーバＳＶが実行する処理内容を示すフローチャートである。  
集計サーバＳＶでは、ネットワークＮＷ、ルータ／アクセスポイントＡＰを介してスマートフォン２０等の情報端末からブラウザを用いたインターネットへのアクセスがあるか否かを判断する（ステップＳ１０１）。
【００３５】
ここでルータ／アクセスポイントＡＰを介してスマートフォン２０等からインターネットへのアクセスがないと判断した場合（ステップＳ１０１のＮｏ）、集計サーバＳＶでは次に予め設定されたサイネージ装置１０への送信タイミング、例えば送信周期が１時間で毎正時毎に送信する設定となっていた場合には正時、となったか否かを判断する（ステップＳ１０２）。
【００３６】
ここで送信タイミングではないと判断すると（ステップＳ１０２のＮｏ）、集計サーバＳＶでは上記ステップＳ１０１の処理に戻る。
【００３７】
こうしてステップＳ１０１，Ｓ１０２の処理を繰返し実行することで、ルータ／アクセスポイントＡＰを介してスマートフォン２０等からインターネットへのアクセスがあるか、あるいはサイネージ装置１０への送信タイミングとなるのを待機する。
【００３８】
ルータ／アクセスポイントＡＰを介してスマートフォン２０等からインターネットへのアクセスがあった場合（ステップＳ１０１のＹｅｓ）、集計サーバＳＶではスマートフォン２０等で使用しているブラウザのＨＴＴＰ（ＨｙｐｅｒＴｅｘｔ  Ｔｒａｎｓｆｅｒ  Ｐｒｏｔｏｃｏｌ）リクエストに付加されるユーザエージェントヘッダ中の言語情報を取得する（ステップＳ１０３）。
【００３９】
この場合、集計サーバＳＶは、スマートフォン２０等が使用するブラウザ中で取扱うドメイン名中のトップレベルドメイン（ＴＬＤ）が「ｃｏｍ」「ｎｅｔ」「ｏｒｇ」などのｇＴＬＤ（ｇｅｎｅｒｉｃ  ＴＬＤ）ではなく、「ｊｐ」「ｕｓ」「ｆｒ」などのｃｃＴＬＤ（ｃｏｕｎｔｒｙ  ｃｏｄｅ  ＴＬＤ）を含んでいる場合には、そのｃｃＴＬＤを国、地域を示す情報として合わせて取得しても良い。
【００４０】
集計サーバＳＶは、取得した言語情報をデータベース（ＤＢ）に記録した上で（ステップＳ１０４）、再び上記ステップＳ１０１からの処理に戻る。
【００４１】
図５は、集計サーバＳＶのデータベースに蓄積記録した通信端末言語情報のテーブルの内容を例示している。同図では、例えば直近２４時間で「英語」と「中国語」を使用する人の割合が高い場合を例示している。
【００４２】
また上記ステップＳ１０２において、予め設定されたサイネージ装置１０への送信タイミングとなったと判断した場合（ステップＳ１０２のＹｅｓ）、集計サーバＳＶはデータベースに蓄積記録された内容から直近２４時間分の言語情報を集計処理する（ステップＳ１０５）。
【００４３】
その集計処理した結果から、上位２位までの言語情報、例えば「英語」「中国語」を示す情報をネットワークＮＷ、及び当該ルータ／アクセスポイントＡＰを介して、対応するサイネージ装置１０へ送信し（ステップＳ１０６）、その後に上記ステップＳ１０１からの処理に戻る。
【００４４】
図６は、サイネージ装置１０においてＣＰＵ４２が実行する、コンテンツの再生に関する処理内容を示すフローチャートである。電源投入後にＣＰＵ４２は、予め設定されているデフォルトの先頭言語、例えば「英語」を選択し（ステップＣ１０１）、その選択した言語に対応するコンテンツデータをコンテンツメモリ３１から読出して再生させる（ステップＣ１０２）。
【００４５】
そして、その時点で設定されている言語でのコンテンツデータの再生が一通り終了したか否かにより言語を切替えるタイミングとなったか否かを判断する（ステップＣ１０３）。
【００４６】
このステップＣ１０３において、まだ言語を切替えるタイミングとはなっていないと判断した場合（ステップＣ１０３のＮｏ）、ＣＰＵ４２は次に上記集計サーバＳＶからネットワークＮＷを介して無線ＬＡＮアンテナ４９、無線ＬＡＮインタフェース４８によりデータの受信があるか否かを判断する（ステップＣ１０４）。
【００４７】
ここで集計サーバＳＶからのデータ受信もないと判断した場合（ステップＣ１０４のＮｏ）、ＣＰＵ４２はそのまま上記ステップＣ１０２からの処理に戻り、その時点で選択されている言語でのコンテンツ再生を継続する。
【００４８】
こうしてステップＣ１０２〜Ｃ１０４の処理を繰返し実行し、選択されている言語でのコンテンツを再生しながら、言語の切替えタイミングとなるか、または集計サーバＳＶからのデータ受信があるのを待機する。
【００４９】
上記ステップＣ１０３において、言語を切替えるタイミングとなったと判断した場合（ステップＣ１０３のＹｅｓ）、ＣＰＵ４２は設定されている順序にしたがって次の言語を選択した上で（ステップＣ１０５）、上記ステップＣ１０２からの処理に戻る。
【００５０】
また上記ステップＳ１０４において、集計サーバＳＶからのデータ受信があったと判断した場合（ステップＣ１０４のＹｅｓ）、ＣＰＵ４２は受信したデータに含まれている言語情報に基づいて再生する言語の設定を書換える（ステップＣ１０６）。
【００５１】
上述したように例えば「英語」「中国語」「日本語」「タイ語」の順序で繰返しコンテンツを再生するような設定がなされている状態で、集計サーバＳＶ側からその先頭の２つと同じ「英語」「中国語」を示す情報を受信した場合、ＣＰＵ４２は受信した情報が３番目と４番目となるように挿入して「英語」「中国語」「英語」「中国語」「日本語」「タイ語」の順序で繰返しコンテンツを再生するように設定を書換える。
【００５２】
その後にＣＰＵ４２は、挿入した言語がその時点で再生中のコンテンツの言語と同じであるか否かを判断する（ステップＣ１０７）。
【００５３】
例えば上述したように挿入した言語が「英語」「中国語」であり、その時点で再生しているコンテンツの言語が「英語」または「中国語」である場合（ステップＣ１０７のＹｅｓ）には、あえてその再生状態を変えるまでもないものと判断し、そのまま上記ステップＣ１０２からの処理に戻る。
【００５４】
また上記ステップＣ１０７において、挿入した言語がその時点で再生中のコンテンツの言語とは異なると判断した場合（ステップＣ１０７のＮｏ）、ＣＰＵ４２はあらためて挿入した言語でのコンテンツ再生を行なうように言語を選択し直した上で（ステップＣ１０８）、上記ステップＣ１０２からの処理に戻る。
【００５５】
上述した例で言えば、挿入した言語が「英語」「中国語」であり、その時点で再生中のコンテンツの言語が「日本語」または「タイ語」であった場合には、上記ステップＣ１０８で書換えた言語中の挿入した３番目に位置する「英語」を選択した上で、上記ステップＣ１０２からの処理に戻る。
【００５６】
［第２の動作例］  
次に上記実施形態の第２の動作例について説明する。  
なお本動作例では、サイネージ装置１０のデフォルトの設定として、例えば「英語」「中国語」「日本語」「タイ語」の順序で繰返しコンテンツが再生出力されているものとする。
【００５７】
図７は、上記集計サーバＳＶとサイネージ装置１０が実行する処理内容を示すフローチャートである。  
集計サーバＳＶでは、ネットワークＮＷ、ルータ／アクセスポイントＡＰを介してスマートフォン２０等の情報端末からブラウザを用いたインターネットへのアクセスがあるか否かを繰返し判断することで、当該アクセスがなされるのを待機している（ステップＳ２０１）。
【００５８】
ルータ／アクセスポイントＡＰを介してスマートフォン２０等からインターネットへのアクセスがあったと判断した場合（ステップＳ２０１のＹｅｓ）、集計サーバＳＶではスマートフォン２０等で使用しているブラウザのＨＴＴＰ（ＨｙｐｅｒＴｅｘｔ  Ｔｒａｎｓｆｅｒ  Ｐｒｏｔｏｃｏｌ）リクエストに付加されるユーザエージェントヘッダ中の言語情報を取得する（ステップＳ２０２）。
【００５９】
この場合、集計サーバＳＶは、スマートフォン２０等が使用するブラウザ中で取扱うドメイン名中のトップレベルドメイン（ＴＬＤ）が「ｃｏｍ」「ｎｅｔ」「ｏｒｇ」などのｇＴＬＤ（ｇｅｎｅｒｉｃ  ＴＬＤ）ではなく、「ｊｐ」「ｕｓ」「ｆｒ」などのｃｃＴＬＤ（ｃｏｕｎｔｒｙ  ｃｏｄｅ  ＴＬＤ）を含んでいる場合には、そのｃｃＴＬＤを国、地域を示す情報として合わせて取得しても良い。
【００６０】
集計サーバＳＶは、取得した言語情報を即時ネットワークＮＷ、及び当該ルータ／アクセスポイントＡＰを介して、対応するサイネージ装置１０へ送信し（ステップＳ２０３）、その後に再び上記ステップＳ２０１の待機処理に戻る。
【００６１】
一方のサイネージ装置１０では、電源投入後にＣＰＵ４２が、予め設定されているデフォルトの先頭言語、例えば「英語」を選択し（ステップＣ２０１）、その選択した言語に対応するコンテンツデータをコンテンツメモリ３１から読出して再生させる（ステップＣ２０２）。
【００６２】
そして、その時点で設定されている言語でのコンテンツデータの再生が一通り終了したか否かにより言語を切替えるタイミングとなったか否かを判断する（ステップＣ２０３）。
【００６３】
このステップＣ２０３において、まだ言語を切替えるタイミングとはなっていないと判断した場合（ステップＣ２０３のＮｏ）、ＣＰＵ４２は次に上記集計サーバＳＶからネットワークＮＷを介して無線ＬＡＮアンテナ４９、無線ＬＡＮインタフェース４８によりデータの受信があるか否かを判断する（ステップＣ２０４）。
【００６４】
ここで集計サーバＳＶからのデータ受信もないと判断した場合（ステップＣ２０４のＮｏ）、ＣＰＵ４２はそのまま上記ステップＣ２０２からの処理に戻り、その時点で選択されている言語でのコンテンツ再生を継続する。
【００６５】
こうしてステップＣ２０２〜Ｃ２０４の処理を繰返し実行し、選択されている言語でのコンテンツを再生しながら、言語の切替えタイミングとなるか、または集計サーバＳＶからのデータ受信があるのを待機する。
【００６６】
上記ステップＣ２０３において、言語を切替えるタイミングとなったと判断した場合（ステップＣ２０３のＹｅｓ）、ＣＰＵ４２は設定されている順序にしたがって次の言語を選択した上で（ステップＣ２０５）、上記ステップＣ２０２からの処理に戻る。
【００６７】
また上記ステップＳ２０４において、集計サーバＳＶからのデータ受信があったと判断した場合（ステップＣ２０４のＹｅｓ）、ＣＰＵ４２は受信したデータに含まれている言語情報がその時点で再生中のコンテンツの言語と同じであるか否かを判断する（ステップＣ２０６）。
【００６８】
例えば上述したように受信した言語が「英語」であり、その時点で再生しているコンテンツの言語も「英語」である場合（ステップＣ２０６のＹｅｓ）には、あえてその再生状態を変えるまでもないものと判断し、そのまま上記ステップＣ２０２からの処理に戻る。
【００６９】
また上記ステップＣ２０６において、受信した言語がその時点で再生中のコンテンツの言語とは異なると判断した場合（ステップＣ２０６のＮｏ）、ＣＰＵ４２はあらためて受信した言語でのコンテンツ再生を行なうように言語を選択し直した上で（ステップＣ２０７）、上記ステップＣ２０２からの処理に戻る。
【００７０】
上述した例で言えば、挿入した言語が「英語」であり、その時点で再生中のコンテンツの言語が「中国語」「日本語」または「タイ語」であった場合には、受信した「英語」を選択した上で、上記ステップＣ２０２からの処理に戻る。
【００７１】
［効果］  
以上詳述した如く本実施形態によれば、状況に応じた適切なコンテンツを出力することが可能となる。
【００７２】
また上記実施形態では、スマートフォン２０等の情報端末を使用するユーザの言語や国名、地域名を取得するものとしたので、インターネット網に接続するウェブブラウザから得られる情報からユーザの属性として大きな要因である言語等を容易に取得し、訴求力のあるコンテンツを決定できる。
【００７３】
さらに上記実施形態では、ルータ／アクセスポイントＡＰをスマートフォン２０等の情報端末と共用するサイネージ装置１０が集計サーバＳＶからの情報に基づいてコンテンツを再生出力するものとしたので、スマートフォン２０等の情報端末を使用するユーザに対して訴求力のあるコンテンツを即時提供して、広告効果等を高めることができる。
【００７４】
上記実施形態の第１及び第２の動作例のいずれにおいても、集計サーバＳＶから受信した言語情報が、その時点で再生中のコンテンツの言語情報と同一であった場合には、あえて再生中のコンテンツの言語の選択をし直すことなく、コンテンツの再生を継続させるものとしたので、再生途中での不自然なコンテンツの切替えを行なうことがなく、有効と思われるコンテンツの再生を維持できる。
【００７５】
また上記実施例の第１の動作例では、集計サーバＳＶのデータベースに言語情報を蓄積して記録し、その集計結果から上位の言語情報をサイネージ装置１０に送信するようにしたので、集計を行なう時間の設定の仕方によって効率的に適切なコンテンツを決定できる。
【００７６】
さらに上記実施形態の第２の動作例では、集計サーバＳＶがルータ／アクセスポイントＡＰを介してスマートフォン２０等の情報端末から言語情報を取得すると即時取得した元超せ情報をルータ／アクセスポイントＡＰを強要するサイネージ装置１０へ送信し、その言語情報に対応したコンテンツをサイネージ装置１０で再生出力させるようにしたので、スマートフォン２０等の情報端末を使用するユーザに対して確実に訴求効果の高いコンテンツを提供できる。
【００７７】
なお上記実施形態では、図１に示したようにサイネージ装置１０を使用するサイネージシステムに適用した場合について説明したが、本実施形態はこれに限らず、例えばサイネージ装置１０自体にルータ／アクセスポイントＡＰと集計サーバＳＶの機能を持たせることで、このサイネージ装置１０をインターネット網に接続可能な環境を整えるだけで、顧客への訴求力が高いサイネージ装置１０を店舗等に簡易に導入できる。
【００７８】
なお上記サイネージ装置１０は、ＤＬＰ（登録商標）（Ｄｉｇｉｔａｌ  Ｌｉｇｈｔ  Ｐｒｏｃｅｓｓｉｎｇ）方式のプロジェクタ技術を用いて画像の投影を行なう装置を例にとってその構成を説明したが、本発明は画像コンテンツを表示する方法等を限定するものではない。
【００７９】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８０】
以下に、本願出願の当初の特許請求の範囲に記載された発明を付記する。  
［請求項１］  
アクセスポイントに接続している外部端末の接続情報を取得する取得手段と、  
上記取得手段で取得した接続情報に応じてコンテンツを決定する決定手段と、  
を備えることを特徴とする情報処理装置。  
［請求項２］  
上記決定手段は、上記取得手段で取得した接続情報に応じた属性のコンテンツを決定することを特徴とする請求項１記載の情報処理装置。  
［請求項３］  
上記属性は言語、国名、及び地域名の少なくとも１つであることを特徴とする請求項２記載の情報処理装置。  
［請求項４］  
上記決定手段で決定したコンテンツを出力するコンテンツ出力手段をさらに備えることを特徴とする請求項１乃至３いずれか記載の情報処理装置。  
［請求項５］  
上記コンテンツ出力手段で出力しているコンテンツの属性と、上記決定手段で決定したコンテンツの属性との一致を判断する判断手段と、  
上記判断手段での判断結果に基づいて上記コンテンツ出力手段で出力するコンテンツの属性を切換える制御手段と、  
をさらに備えることを特徴とする請求項４記載の情報処理装置。  
［請求項６］  
上記取得手段で取得した接続情報を蓄積して記憶する記憶手段をさらに備え、  
上記決定手段は、上記記憶手段で記憶する接続情報を集計してコンテンツを決定する  
ことを特徴とする請求項１乃至５いずれか記載の情報処理装置。  
［請求項７］  
上記決定手段は、上記取得手段で接続情報を取得して即時対応するコンテンツを決定することを特徴とする請求項１乃至５いずれか記載の情報処理装置。  
［請求項８］  
アクセスポイントに接続している外部端末の接続情報を取得する取得工程と、  
上記取得工程で取得した接続情報に応じてコンテンツを決定する決定工程と、  
を有することを特徴とする情報処理方法。  
［請求項９］  
コンピュータが実行するプログラムであって、該コンピュータを、  
アクセスポイントに接続している外部端末の接続情報を取得する取得手段、及び
上記取得手段で取得した接続情報に応じてコンテンツを決定する決定手段、  
として機能させることを特徴とするプログラム。
【符号の説明】
【００８１】
１０…サイネージ装置、
１０Ａ…装置筐体、
２０…スマートフォン、
３１…コンテンツメモリ、
３２…投影画像駆動部、
３３…マイクロミラー素子、
３４…光源部、
３５…ミラー、
３６…投影レンズ部、
３７…撮影レンズ部、
３８…ＣＭＯＳイメージセンサ、
３９…Ａ／Ｄ変換器、
４０…撮影画像処理部、
４２…ＣＰＵ、
４３…メインメモリ、
４４…プログラムメモリ、
４５…操作部、
４６…音処理部、
４７…スピーカ部、
４８…無線ＬＡＮインタフェース（Ｉ／Ｆ）、
４９…無線ＬＡＮアンテナ、
ＡＰ…ルータ／アクセスポイント、
Ｂ１〜Ｂ４…操作ボタン、
ＢＳ…システムバス、
ＩＭ…撮像部、
ＮＷ…ネットワーク、
ＳＢ…サイネージボード、
ＳＶ…集計サーバ。
【図１】
2017058903.tif 000003
【図２】
2017058903.tif 000004
【図３】
2017058903.tif 000005
【図４】
2017058903.tif 000006
【図５】
2017058903.tif 000007
【図６】
2017058903.tif 000008
【図７】
2017058903.tif 000009